(57)【要約】【課題】圧力計の非接触式感応装置の提供。【解決手段】一種の圧力計の非接触式感応装置で、圧力計の中に圧力計測装置と計測指示装置が設置されている。この圧力計測装置には一つの端部が圧力入り口に連結し且つ別の端部に駆動部品が設置されたブルドン管が含まれ、ブルドン管が受ける圧力により変形して駆動部品に噛み合った軸心を回転させる。この計測指示装置には磁性を持つ軸心と同時に回転する指針が含まれ、指針とブルドン管の間は目盛が刻まれたパネルで隔てられ、このパネルにはセンサーが設置され、指針がセンサーまで回転すると非接触感応で一つの信号を出力する。【選択図】図３
0003134793.tif 000002
【実用新案登録請求の範囲】
【請求項１】
圧力計測装置及び計測指示装置を含み、
該圧力計測装置はブルドン管が含まれ、当該ブルドン管の一端は圧力入り口に接続し、別の一端には駆動部品が設置され、当該駆動部品は軸心と噛み合い、当該駆部品がブルドン管の圧力を受けて変形するのに伴って軸心を回転し、及び、
該計測指示装置は磁性を有して当該軸心により駆動させられる指針を含み、当該指針とブルドン管の間には目盛が刻まれたパネルが設置され、当該パネルの指針が回転する経路区間内に一つ以上のセンサーが設置され、当該指針がセンサーまで回転した時に非接触式で感応して一つの信号を出力することを特徴とする圧力計の非接触式感応装置。
【請求項２】
当該圧力計には更に電気的にセンサーに接続する電流転換器が含まれ、当該駆動部品には軸心と噛み合うラック歯車が設置され、当該軸心には原状に復帰させる渦巻バネが設置されていることを特徴とする請求項１記載の圧力計の非接触式感応装置。
【請求項３】
当該センサーは磁性バネスイッチであることを特徴とする請求項１記載の圧力計の非接触式感応装置。
【請求項４】
当該指針はパネルを隔ててセンサーと感応する位置に磁性部品が設置されていることを特徴とする請求項１記載の圧力計の非接触式感応装置。
【請求項５】
圧力計測装置及び計測指示装置を含み、
該圧力計測装置はブルドン管が含まれ、当該ブルドン管の一端は圧力入り口に接続し、別の一端には駆動部品が設置され、当該駆動部品はの軸心と噛み合い、当該駆部品がブルドン管の圧力を受けて変形するのに伴って軸心を回転し、及び、
該計測指示装置は磁性を有して当該軸心により駆動させられる指針を含み、当該指針とブルドン管の間には目盛が刻まれたパネルが設置され、当該パネルの指針が回転する軌跡に沿って透かし彫り部と一つ以上のセンサーが設置され、当該指針が面する透かし彫り位置にアームが設置され、当該アームにはセンサーと感応する磁性部品が設置され、当該指針がセンサーまで回転した時に非接触式で感応して一つの信号を出力することを特徴とする圧力計の非接触式感応装置。
【考案の詳細な説明】
【技術分野】
【０００１】
本考案は圧力計の非接触式感応装置を提供し、特に流体圧力を計測する及び非接触式感応方式で関連する装置の運転起動或いは停止を制御する圧力計の非接触式感応装置を指す。
【背景技術】
【０００２】
エアコンプレッサー或いは液体圧力機械等産業の流体技術分野において、目盛が刻まれた圧力計を利用して圧力値を計測すると同時に、関連する装置の動作を起動或いは停止させることは、早くから業界で熟知され且つ広範囲に運用されている技術手段である。
【０００３】
一般的に、圧力計は圧力値が予定する高低臨界点で設計された一種の接触式感応計器で、計測された圧力計の指針位置を用いて、関連性装置の起動或いは停止させる依拠としている。図１及び図２に示す一つの圧力計(５)には、一つの目盛或いは記号或いは数字が刻まれたパネル(５１)があり、当該パネル(５１)の中央には圧力の変化に応じて回転或いは０に戻る指針(５２)があり、当該圧力計(５)には事前に一つの高圧接点(５３)及び一つの低圧接点(５４)が設置されていて、各接点の近隣場所のそれぞれ一つの受動部品(５３１)、(５４１)が設置されている。そのうちの２つの接点は電気的に同一入力電源に接続し、２つの受動部品(５３１)及び(５４１)は電気的に各自独立した入力電源に接続していて、当該圧力計(５)上には計３本の入力電源線(５５)、(５６)及び(５７)がある。
【０００４】
当該圧力計(５)が計測を行う場合、ゼロに戻った指針(５２)は流体圧力の上昇に伴い回転して一つのウイング(５４２)に接触する。このウイング(５４２)回転軸は受動部品(５４１)に設置されていて、低圧接点(５４)と接触して電気的導通を形成し、同時に関連性装置の運転を起動する。流体圧力の引き続く上昇に伴い、当該指針(５２)は高圧接点(５３)方向に回転して別のウイング(５３２)に接触する。回転軸が受動部品(５３１)に設置されているウイング(５３２)は受動的に高圧接点(５３)に接触した時に電気的導通を形成して、同時に関連性装置の運転を停止させる。このようにして、この圧力計(５)は圧力測定とスイッチの２種機能を兼備することになる。
【０００５】
上述の圧力計(５)には非常に大きな欠点がある。電源を帯びる受動部品(５３１)、(５４１)がウイング(５３２)、(５４２)に導電し、ウイング(５３２)、(５４２)が高、低圧接点(５３)、(５４)に接触して導電した瞬間スパーク及び高温が発生し、容易に火災を引起す以外に、部品の損壊或いはカーボン蓄積の弊害をもたらすことである。
【考案の開示】
【考案が解決しようとする課題】
【０００６】
本考案の目的の一つは、圧力計の非接触式感応装置を提供することで、圧力計のパネルにはセンサーが設置され、指針の回転に伴うセンサーとの非接触感応で信号を出力し、関連性装置の運転を起動或いは停止させることにある。
【０００７】
本考案の目的の一つは、指針が非接触でセンサーと感応し磁力感応の信号出力を提供する。
【０００８】
前述の目的を達成するため、本考案は一種の圧力計の非接触式感応装置で、圧力計には一つ以上の設置し、圧力計測装置はブルドン管が含まれ、当該ブルドン管の一端は一つの圧力入り口に接続し、別の一端には一つの駆動部品が設置され、当該駆動部品は一つの軸心と噛み合い、当該駆部品がブルドン管の圧力を受けて変形するのに伴って軸心を回転させる。
【０００９】
及び計測指示装置は磁性を有して当該軸心により駆動させられる指針を含み、当該指針とブルドン管の間には目盛が刻まれたパネルが設置され、当該パネルの指針が回転する経路区間内に少なくとも一つのセンサーが設置され、当該指針がセンサーまで回転した時に非接触式で感応して一つの信号を出力する。
【課題を解決するための手段】
【００１０】
請求項１の考案は、圧力計測装置及び計測指示装置を含み、
該圧力計測装置はブルドン管が含まれ、当該ブルドン管の一端は圧力入り口に接続し、別の一端には駆動部品が設置され、当該駆動部品は軸心と噛み合い、当該駆部品がブルドン管の圧力を受けて変形するのに伴って軸心を回転し、及び、
該計測指示装置は磁性を有して当該軸心により駆動させられる指針を含み、当該指針とブルドン管の間には目盛が刻まれたパネルが設置され、当該パネルの指針が回転する経路区間内に一つ以上のセンサーが設置され、当該指針がセンサーまで回転した時に非接触式で感応して一つの信号を出力することを特徴とする圧力計の非接触式感応装置としている。
請求項２の考案は、当該圧力計には更に電気的にセンサーに接続する電流転換器が含まれ、当該駆動部品には軸心と噛み合うラック歯車が設置され、当該軸心には原状に復帰させる渦巻バネが設置されていることを特徴とする請求項１記載の圧力計の非接触式感応装置としている。
請求項３の考案は、当該センサーは磁性バネスイッチであることを特徴とする請求項１記載の圧力計の非接触式感応装置としている。
請求項４の考案は、当該指針はパネルを隔ててセンサーと感応する位置に磁性部品が設置されていることを特徴とする請求項１記載の圧力計の非接触式感応装置としている。
請求項５の考案は、圧力計測装置及び計測指示装置を含み、
該圧力計測装置はブルドン管が含まれ、当該ブルドン管の一端は圧力入り口に接続し、別の一端には駆動部品が設置され、当該駆動部品はの軸心と噛み合い、当該駆部品がブルドン管の圧力を受けて変形するのに伴って軸心を回転し、及び、
該計測指示装置は磁性を有して当該軸心により駆動させられる指針を含み、当該指針とブルドン管の間には目盛が刻まれたパネルが設置され、当該パネルの指針が回転する軌跡に沿って透かし彫り部と一つ以上のセンサーが設置され、当該指針が面する透かし彫り位置にアームが設置され、当該アームにはセンサーと感応する磁性部品が設置され、当該指針がセンサーまで回転した時に非接触式で感応して一つの信号を出力することを特徴とする圧力計の非接触式感応装置としている。
【考案の効果】
【００１１】
本考案は圧力計の非接触式感応装置を提供し、圧力計のパネルにはセンサーが設置され、指針の回転に伴うセンサーとの非接触感応で信号を出力し、関連性装置の運転を起動或いは停止させることにある。一種の指針が非接触でセンサーと感応し磁力感応の信号出力を提供することにある。
【考案を実施するための最良の形態】
【００１２】
図３から図５に示す圧力計(１)には一つの圧力検査装置(２)、一つの計測指示装置(３)及び一つの電流転換器(４)が具備されている。そのうち、当該圧力検査装置(２)には一つの圧力入り口(２１)が設置され、当該圧力入り口(２１)の末端に一つのブルドン管(２２)が接続され、当該ブルドン管(２２)の末端には一つの駆動部品(２３)が接続されている。当該駆動部品(２３)は一つのラック歯車(２３１)と一つの軸心(２４)で噛み合わされていて、圧力源が当該圧力入り口(２１)に注入された時、当該ブルドン管(２２)は圧力を受けて変形し、当該駆動部品(２３)と連動する軸心(２４)を回転させる。当該軸心(２４)の外縁には一つの渦巻バネ(２５)が設置され、当該渦巻バネ(２５)は圧力が低下或いは消失した時、当該軸心(２４)を原状に回復させる。
【００１３】
前述の計測指示装置(３)には、一つの軸心(２４)頂点に設置された指針(３１)があり、当該指針(３１)は一つの磁性部品である。当該指針(３１)はまた図６に示す下縁に設置された一つの磁性部品(３２)でもある。当該磁性部品(３２)は一つの磁石で、当然、当該指針(３１)自身も磁石であるため、当該指針(３１)は磁力を有している。  
【００１４】
当該指針(３１)とブルドン管(２２)の間には一つの目盛が刻まれたパネル(３３)が設置され、当該パネル(３３)の指針(３１)が回転する経路には一つの高圧センサー(３４)及び一つの低圧センサー(３５)が設置されている。本実施例では、この２つのセンサー(３４)、(３５)はそれぞれ一つの磁性バネスイッチである。
【００１５】
上述の高圧センサー(３４)と低圧センサー(３５)にはそれぞれ電気的に一つの信号を出力する信号線(３４１)、(３５１)が接続されていて、一旦当該ブルドン管(２２)が流体圧力を受けて変形し、当該軸心(２４)に連動する指針(３１)を低圧センサー(３５)まで回転させた時、当該指針(３１)は磁力により低圧センサー(３５)を感応させて一つの信号を生じさせ、当該信号線(３５１)から接収ユニット(図に未表示)に出力されて、関連性装置の運転を起動させる。
【００１６】
圧力が継続して上昇し、当該指針(３１)が高圧センサー(３４)上方まで回転した時、磁力により当該高圧センサー(３４)が感応して導通し一つの信号を生じさせ、当該信号線(３４１)から一つの接収ユニット(図に未表示)まで出力されて、前述の関連性装置の運転を停止させる。
【００１７】
上述の関連装置は通常流体圧縮機を指す。釘打ち作業或いは吹付け塗装作業で言うと、エアコンプレッサーで流体を釘打ち器或いはエアノズルのシリンダー内に注入し、一旦流体が消耗して圧力が相対的に低下した時、２つのセンサー(３４)、(３５)は圧力計の指針(３１)の作動に伴い、継続して高圧ガスをシリンダー内に注入する。自動化の作業過程では人力の浪費を節減する。
【００１８】
また、当該電流転換器(４)には２本の電源線(４１)、(４２)があり、そのうちの一つの電源線(４１)が電気的に当該高圧センサー(３４)に接続し、別の一つの電源線(４２)は電気的に当該低圧センサー(３５)に接続している。当該電流転換器(４)は交流電気を直流電気に転換して高、低圧センサー(３４)、(３５)に出力することで、外付け式電流転換器の購入使用を減少でき、更に一歩進んで本圧力計(１)の機動性を向上させる。当該電流転換器(４)はセンサーに基づいてその取り付けの可否を決定する。その原因は主に、センサーの生産技術は大幅に向上され、比較的高い電流負荷に耐えられるようになったためにある。
【００１９】
以上をまとめると、本考案はスイッチ制御及び流体圧力等を計測する２重機能を兼備する圧力計の非接触式感応装置を創作したことで、実際の運用は図３より図５を参照されたい。当該圧力計(１)の指針(３１)が圧力により回転して低圧センサー(３５)を経過した時、当該指針(３１)の磁力が低圧センサー(３５)を感応させて一つの起動信号を発する。圧力が継続して上昇し、当該指針(３１)が高圧センサー(３４)まで回転した時、その磁力がまた高圧センサー(３４)を感応させて一つの停止信号を発する。関連性装置は２つの信号を接収して、運転を継続起動或いは停止させる。
【００２０】
図７より図８には計測指示装置(３)の別の一つの実施例を示している。図面には、当該パネル(３３)に指針(３１)の回転軌跡に沿って一つの透かし彫り部(３３１)が設置され、当該透かし彫り部(３３１)はパネル(３３)上に刻まれた数字目盛に沿って円弧型を示しているのが示されている。当該指針(３１)下方に透かし彫り部(３３１)の位置に面して一つのアーム(３１１)が設置され、前述の磁性部品(３２)が当該アーム(３１１)上に固定され、当該指針(３１)が回転して低圧センサー(３５)を経過した時、当該低圧センサー(３５)は磁性部品(３２)の感応を受けて一つの信号を生じさせる。同様に、当該指針(３１)回転して高圧センサー(３４)を経過した時、当該高圧センサー(３４)も磁性部品(３２)の感応を受けて一つの信号を産出する。
【００２１】
本実施例の磁性部品(３２)は磁石で、前述の実施例との差異は、当該指針(３１)は磁性部品(３２)の位置の違いにより、相対的に２つのセンサー(３４)、(３５)の感応位置が変化することにある。
【図面の簡単な説明】
【００２２】
【図１】周知の圧力計の組立立体図である。
【図２】図１の断面図である。
【図３】本考案圧力計の好ましい実施例の分解立体図である。
【図４】図３の立体組立図である。点線で指針が回転する一つの位置を示している。
【図５】図４の断面図である。
【図６】指針の別の一つの実施例図である。
【図７】計測指示装置の別の実施例図である。
【図８】図７の側面断面図である。
【符号の説明】
【００２３】
１  圧力計
２  圧力検査装置
２１  圧力入り口  
２２  ブルドン管
２３  駆動部品
２３１  ラック歯車
２４  軸心  
２５  渦巻バネ
３  計測指示装置
３１  指針
３１１  アーム
３２  磁性部品
３３  パネル
３４  高圧センサー
３４１  信号線
３５  低圧センサー
３５１  信号線
４  電流転換器
４１、４２  電源線
５  圧力計
５１  パネル
５２  指針
５３  高圧接点  
５３１  受動部品
５３２  ウイング  
５４  低圧接点
５４１  受動部品  
５４２  ウイング
５５、５６、５７  電源線
【図１】
0003134793.tif 000003
【図２】
0003134793.tif 000004
【図３】
0003134793.tif 000005
【図４】
0003134793.tif 000006
【図５】
0003134793.tif 000007
【図６】
0003134793.tif 000008
【図７】
0003134793.tif 000009
【図８】
0003134793.tif 000010